(57)【要約】【課題】  幼児や子供が興味をもって楽しく遊ぶことのできる組立式フラフープを提供する。【解決手段】  複数のフラフープ組立部品を相互に連結してリング状のフラフープ組立体を形成可能に構成し、フラフープ組立部材の一端には挿入部材が一体的に形成されており、他端には嵌着凹部が形成され、組立後ストッパーにて固定されると共に、突起状接点とバネ状接点とが電気的に接続されるように構成され、フラフープ組立部材の内側の任意個所にはバッテリー、複数色の発光ＬＥＤ、発音部、振動感知スイッチが収納され、該振動感知スイッチは手動でも操作できるように構成され、且つ、フラフープ組立部材は筒状に形成された透明乃至半透明のプラスチックからなり、内側の任意個所に複数の凹状部が形成されており、発光ＬＥＤの光線が該凹状部にて屈折されて外方に向けて放射されるように構成したことを特徴とするフラフープを提供する。【選択図】図１
0003120677.tif 000002
【実用新案登録請求の範囲】
【請求項１】
複数のフラフープ組立部品を相互に連結してリング状のフラフープ組立体を形成可能に構成したことを特徴とするフラフープ。
【請求項２】
フラフープ組立部材の一端には挿入部材が一体的に形成されており、他端には嵌着凹部が形成され、組立後ストッパーにて固定されると共に、突起状接点とバネ状接点とが電気的に接続されるように構成されていることを特徴とする請求項１記載のフラフープ。
【請求項３】
フラフープ組立部材の内側の任意個所にはバッテリー、複数色の発光ＬＥＤ、発音部、振動感知スイッチが収納され、該振動感知スイッチは手動でも操作できるように構成されていることを特徴とする請求項１記載のフラフープ。
【請求項４】
フラフープ組立部材は筒状に形成された透明乃至半透明のプラスチックからなり、内側の任意個所に複数の凹状部が形成されており、発光ＬＥＤの光線が該凹状部にて屈折されて外方に向けて放射されるように構成したことを特徴とする請求項１記載のフラフープ。
【考案の詳細な説明】
【技術分野】
【０００１】  本考案はフラフープに関し、特に分割されたフラフープ組立部品を組みたててリング状のフラフープを形成すると共に、フラフープ組立部品内に収納された多色のＬＥＤの発光をフラフープ全体から発光できるようにし、幼児や子供が興味をもって楽しくフラフープ遊びを行うことができるフラフープに関する。
【背景技術】
【０００２】  アウタークリアチューブとインナーチューブを張り合わせ一体的にリング状の本体を形成したフラフープ内に多数のＬＥＤ、基板、電池、スイッチ等を設けたフラフープが知られている。【０００３】  この種のフラフープは輸送のために大きな梱包が必要であり、輸送の嵩が増すので、輸送効率が悪く、大きな梱包のために偏った荷重がかかると破損し易いものであった。【０００４】
【実用新案文献１】
実開平２−６３８７６号公報
【考案の開示】
【考案が解決しようとする課題】
【０００５】  輸送用の梱包をコンパクトにすることができ、その結果、輸送中に破損することなく、使用する幼児や子供にとって組立てる楽しみがあり、組立てられたリング状の本体からは多色の光線が全体的に放射され、必要に応じて発音させ、幼児や子供が興味をもって楽しくフラフープ遊びを行うことができるフラフープを提供する。【０００６】  本考案はこのような課題を解決するために創案された組立て式のフラフープであって、幼児や子供が自分の使用するフラフープを自身で組立てて、興味をもって楽しく遊ぶことができるフラフープである。
【課題を解決するための手段】
【０００７】  複数のフラフープ組立部品を相互に連結してリング状のフラフープ組立体を形成可能に構成したことを特徴とし、フラフープ組立部材の一端には挿入部材が一体的に形成されており、他端には嵌着凹部が形成され、組立後ストッパーにて固定されると共に、突起状接点とバネ状接点とが電気的に接続されるように構成されていることを特徴とし、フラフープ組立部材の内側の任意個所にはバッテリー、複数色の発光ＬＥＤ、発音部（図示せず）及び振動感知スイッチが収納され、該振動感知スイッチは手動でも操作できるように構成されていることを特徴とし、フラフープ組立部材は筒状に形成された透明乃至半透明のプラスチックからなり、内側の任意個所に複数の凹状部が形成されており、ＬＥＤの光線が該凹状部にて屈折されて外方に向けて放射されるように構成したことを特徴とするフラフープである。
【考案の効果】
【０００８】
【０００９】  本考案に係るフラフープは幼児や子供が自分で組立てる楽しみを持つことができ、組立てられたフラフープは多色のＬＥＤの光線が外方に向けて全体的に発光し、又は発音して興味を引き、しかも組立てる前の輸送梱包がコンパクトにできるので、輸送効率がよく、組立後は強固で破損しにくい構造となる利点を有するものである。
【考案を実施するための最良の形態】
【００１０】  以下、図面に基づき本考案を実施するための最良の形態について説明する。
図面において、図１は本考案に係るフラフープの全体斜視図である。図２は本考案に係るフラフープ組立部品の斜視図である。図３は本考案に係るフラフープ組立部品の部分断面図である。図４は図２の左側面図である。図５は図２の右側面図である。【００１１】  請求項１に示すように、本考案のフラフープは、複数のフラフープ組立部品１を相互に連結してリング状のフラフープ組立体Ｈを形成するように構成されており、これを使用する幼児や子供に自分で使用するフラフープを自分自身で組立てられるようになっており、楽しみを与えるものである。【００１２】  請求項２に示すように、フラフープ組立部材１の一端には挿入部材５がフラフープ組立部材１に一体的に形成されており、他端には嵌着凹部５１が形成されており、フラフープ組立部材１を相互に装着して組立後ストッパー用孔部２に突起４が嵌着されて強固に固定されるようになっている。【００１３】  突起部４は両サイドにスリット４２，４２を設けた弾性部材４１の先端部に一体的に固定されており、該弾性部材４１の弾性力によって突起部４がストッパー用孔部２に嵌まり込み強固に固定されるようになっており、更にこの組立操作において、突起状接点８とバネ状接点８１とが電気的に接続されるように構成されている。【００１４】  請求項３に示すように、フラフープ組立部材１の内側の任意個所にはバッテリー６、複数色の発光ＬＥＤ７、発音部（図示せず）、振動感知スイッチ３が収納され、該振動感知スイッチ３は手動でも操作できるように構成されている。【００１５】  請求項４に示すように、フラフープ組立部材１は筒状に形成された透明乃至半透明のプラスチックからなり、内側の任意個所に複数の凹状部１１が形成されており、発光ＬＥＤ７の光線が該凹状部１１にて屈折されて図面中矢印で示すように、外方に向けて放射されるように構成されている。【００１６】  したがって、組立てられたフラフープ組立体Ｈを、腰を振って身体のまわりで回転させれば、フラフープ全体から多色の光線が放射されつつ、発音部（図示せず）を収納した場合は、光と共に更に興味を増すことができる。
なお、本考案は上述した実施の形態で説明した構造には限定されず、各部の形状、構造等を適宜変形、変更し得ることはいうまでもない。
【図面の簡単な説明】
【００１７】
【図１】  本考案に係るフラフープの全体斜視図である。
【図２】  本考案に係るフラフープ組立部品の斜視図である。
【図３】  本考案に係るフラフープ組立部品の部分断面図である。
【図４】  図２の左側面図である。
【図５】  図２の右側面図である。
【符号の説明】
【００１８】  １．フラフープ組立部品
１１．凹状部
２．ストッパー用孔部
３．振動感知スイッチ
４．突起
４１．弾性部材
４２．スリット
５．挿入部材
５１．嵌着凹部
６．バッテリー
７．ＬＥＤ
７１．光線
８．突起状接点
８１．バネ状接点
Ｈ．フラフープ組立体
【図１】
0003120677.tif 000003
【図２】
0003120677.tif 000004
【図３】
0003120677.tif 000005
【図４】
0003120677.tif 000006
【図５】
0003120677.tif 000007